(57)【要約】【課題】この発明は、利用現場でセキュリティー性の高い利用者登録を行うことができる入室管理システムを提供することを目的とするものである。【解決手段】管理者がいる管理拠点１には、管理側データベースを管理する管理装置２が設けられている。利用者がいる利用拠点５には、制御装置８が設けられている。制御装置８は、登録用識別情報読取部１３によって管理装置２が作成する登録用識別情報を読み込むと、管理装置２に対して登録要求信号を送信する。管理装置２は、制御装置８が読み込んだ登録用識別情報が、管理側データベースに登録されていることを確認すると、制御装置８に対して利用者登録を許可する。【選択図】図１
2006132152.tif 000002
【特許請求の範囲】
【請求項１】
利用者を識別するための登録用識別情報を作成するとともに、上記登録用識別情報が登録される管理側データベースを管理する管理装置と、
上記管理装置に通信回線を介して接続され、上記登録用識別情報を読み取る登録用識別情報読取部、及び利用者が携帯する認証媒体に予め登録された認証用識別情報を読み取る認証用識別情報読取部を有し、上記認証用識別情報に応じて電気錠の施錠状態を制御する制御装置と
を備え、
上記制御装置は、上記登録用識別情報を上記登録用識別情報読取部によって読み取ると、上記管理装置に対して登録要請信号を発し、
上記管理装置は、上記登録要請信号に応じて、上記登録用識別情報読取部によって読み取られた上記登録用識別情報が上記管理データベースに登録されていることを確認した後に、上記認証用識別情報読取部によって読み取られた上記認証用識別情報を上記登録用識別情報に関連づけて上記管理側データベースに登録することを特徴とする入室管理システム。
【請求項２】
上記制御装置は、上記認証用識別情報が登録される制御側データベースを格納する制御側データベース記憶部をさらに有し、
上記制御装置は、上記認証用識別情報読取部によって読み取られた上記認証用識別情報が上記登録用識別情報に関連づけて上記管理側データベースに登録される場合に、上記認証用識別情報読取部によって読み取られた上記認証用識別情報を上記制御側データベースに登録し、上記認証用識別情報読取部によって読み取られた上記認証用識別情報が、上記制御側データベースに登録されていることを確認すると、上記電気錠を解錠することを特徴とする請求項１記載の入室管理システム。
【請求項３】
上記管理装置は、上記登録用識別情報に登録有効期間を設定し、登録有効期間を過ぎた上記登録用識別情報が上記登録用識別情報読み取り部によって読み取られたときには、上記制御装置からの上記登録要求信号を無効にすることを特徴とする請求項１又は請求項２に記載の入室管理システム。
【請求項４】
上記管理装置は、既に上記登録用識別情報に関連づけて上記管理側データベースに登録された既登録の上記登録用識別情報が、上記登録用識別情報読取部によって読み取られたときには、上記制御装置からの上記登録要請信号を無効にすることを特徴とする請求項１〜請求項３のいずれかに記載の入室管理システム。
【請求項５】
上記登録用識別情報は、利用者が携帯する携帯端末に対して通信ネットワークを介して送信されることを特徴とする請求項１〜請求項４のいずれかに記載の入室管理システム。
【発明の詳細な説明】
【技術分野】
【０００１】
この発明は、利用者が携帯する認証媒体に予め登録された認証用識別情報に応じて、電気錠を制御する入室管理システムに関するものである。
【背景技術】
【０００２】
従来装置では、入室が管理される部屋の扉の開閉は、扉開閉制御装置によって制御される。扉開閉制御装置には、近傍型カードリーダが接続されている。近傍型カードリーダには、データ管理処理装置が接続されている。データ管理処理装置には、入室が許可されたＩＤ番号が予め登録されている。
【０００３】
部屋に入室しようとする利用者は、利用者が携帯するＩＣカードに予め登録されたＩＤ番号を近傍カードリーダに読み取らせ、近傍カードリーダは、そのＩＤ番号をデータ管理処理装置に入力する。データ管理処理装置は、データ管理処理装置内に予め登録されたＩＤ番号と入力されたＩＤ番号とを照合し、それらが一致すれば開制御信号を扉開閉制御装置に入力する。扉開閉制御装置は、開制御信号を受けると扉を開き、利用者の入室を可能とする（例えば、特許文献１参照）。
【０００４】
【特許文献１】特開２００３−６５７８号公報
【発明の開示】
【発明が解決しようとする課題】
【０００５】
上記のような従来の入室管理システムでは、データ管理処理装置に入室を許可するＩＤ番号を予め登録する必要がある。一般に、データ管理処理装置にＩＤ番号を登録するには、管理上の問題があるので、特別な権限を有する管理者を介在する必要がある。しかし、入室を管理する部屋が設けられている場所は、管理者がいる場所と離れていることが多い（例えば、本社の総務部が管理者となり、遠隔地の支社の部屋の入室許可登録を行う等）。
【０００６】
このような場合、新たな利用者の入室許可を登録しようとすると、管理者は、中央管理装置等を利用して、管理者の手元にあるＩＣカードのＩＤ番号を、入室許可のＩＤ番号としてデータ管理処理装置に登録した後に、そのＩＣカードを利用者に配布する。
【０００７】
一方、電子マネーが登録されている非接触ＩＣカードや、非接触ＩＣカードの機能を備えた携帯端末（携帯電話）等の記憶媒体が普及し、これらの記憶媒体が認証媒体として利用されようとしている。しかし、これらの記憶媒体は、その性質上、利用者の手元にあるものであり、かつ遠隔地の管理者に送るといったことが難しく、遠隔地の管理者がこれらの記憶媒体を認証媒体として登録することに障害があった。
【０００８】
この発明は、上記のような課題を解決するためになされたものであり、その目的は、利用現場でセキュリティー性の高い利用者登録を行うことができる入室管理システムを提供することである。
【課題を解決するための手段】
【０００９】
この発明に係る入室管理システムは、利用者を識別するための登録用識別情報を作成するとともに、登録用識別情報が登録される管理側データベースを管理する管理装置と、管理装置に通信回線を介して接続され、登録用識別情報を読み取る登録用識別情報読取部、及び利用者が携帯する認証媒体に予め登録された認証用識別情報を読み取る認証用識別情報読取部を有し、認証用識別情報に応じて電気錠の施錠状態を制御する制御装置とを備え、制御装置は、登録用識別情報を登録用識別情報読取部によって読み取ると、管理装置に対して登録要請信号を発し、管理装置は、登録要請信号に応じて、登録用識別情報読取部によって読み取られた登録用識別情報が管理データベースに登録されていることを確認した後に、認証用識別情報読取部によって読み取られた認証用識別情報を登録用識別情報に関連づけて管理側データベースに登録する。
【発明の効果】
【００１０】
この発明の入室管理システムによれば、管理装置は、管理装置に通信回線を介して接続される制御装置の登録用識別情報読取部によって読み取られた登録用識別情報が、管理データベースに登録されていることを確認した後に、認証用識別情報読取部によって読み取られた認証用識別情報を登録用識別情報に関連づけて管理側データベースに登録するので、管理者が利用を許可した利用者と利用現場で登録をしようとしている利用者とが照合された後に利用者登録が行われ、利用現場でセキュリティー性の高い利用者登録を行うことができる。
【発明を実施するための最良の形態】
【００１１】
以下、この発明を実施するための最良の形態について、図面を参照して説明する。
実施の形態１．
図１は、この発明の実施の形態１による入室管理システムを示すブロック図である。図において、管理者がいる管理拠点１には、管理装置２と、管理装置２によって管理される管理側データベース記憶装置３とが設けられている。利用者がいる利用拠点５には、戸６に取り付けられている電気錠７の施・解錠を制御する制御装置８が設けられている。
【００１２】
利用者は、制御装置８と通信可能な携帯端末（携帯電話）１０、及び認証用識別情報（ＩＤ情報）が予め登録されているＩＣカード（認証媒体）１１を携帯している。
【００１３】
管理側データベース記憶装置３には、図２示すような管理側データベースが格納されている。管理者データベースは、複数のレコードを有している。各レコードは、利用者氏名書込部、登録用コード書込部、ＩＣカードＩＤ書込部、登録有効期間書込部、入室許可有効期間書込部、及び有効拠点書込部から構成されている。
【００１４】
利用者氏名書込部には、入室管理されている部屋に入室することが許可される利用者の氏名が登録される。登録用コード書込部には、１つのレコードに対して１つだけ作成される登録用識別情報が登録される。ＩＣカードＩＤ書込部には、利用者が携帯するＩＣカード１１に予め登録されている認証用識別情報が登録される。
【００１５】
登録有効期間書込部には、作成された登録用識別情報に設定される登録有効期間が登録される。入室許可有効期間書込部には、ＩＣカードＩＤ書込部に登録される認証用識別情報に設定されている入室許可有効期間が登録される。有効拠点書込部には、ＩＣカードＩＤ書込部に登録される認証用識別情報が有効になる利用拠点が登録される。
【００１６】
管理装置２は、レコードが作成され、登録用識別情報が作成されると、登録用識別情報をバーコード（２次元バーコード（ＱＲコード））、即ち画像情報に変換する。また、管理装置２は、画像情報に変換した登録用識別情報を電子メール添付して、通信ネットワークを介して、電子メールを携帯端末１０に対して送信する。
【００１７】
制御装置８は、ＩＣカード１１に登録されている認証用識別情報を読み取るための認証用識別情報読取部（ＩＣカードリーダ）１２と、携帯端末１０に送信された登録用識別情報を読み取るための登録用識別情報読取部（バーコードリーダ）１３と、制御側データベース記憶部１４とを有している。制御側データベース記憶部１４には、図３に示すような制御側データベースが格納されている。
【００１８】
制御側データベースも、複数のレコードを有している。各レコードは、利用者氏名書込部、ＩＣカードＩＤ書込部、入室許可有効期間書込部、及び有効拠点書込部から構成されている。なお、上述した制御側データベースのレコードの内容は、管理側データベースのレコードと同様である。また、管理側データベースのレコードと、制御側データベースのレコードとは、１対１で対応している。即ち、同一の利用者氏名データを有するレコードには、同一の認証用識別情報が登録される。
【００１９】
制御装置８は、認証用識別情報読取部１２によって認証用識別情報を読み取ると、その読み取られた認証用識別情報が、制御側データベース記憶部１４に格納されている制御側データベースに登録されていれば、電気錠７を解錠する。また、制御装置８は、認証用識別情報読取部１２によって認証用識別情報を読み取ると、その読み取られた認証用識別情報が、制御側データベース記憶部１４に格納されている制御側データベースに登録されていなければ、電気錠７の施錠状態を維持する。
【００２０】
さらに、制御装置８は、登録用識別情報読取部１３によって登録用識別情報を読み取るとともに、認証用識別情報読取部１２によって認証用識別情報を読み取ると、登録用識別情報及び認証用識別情報を含む登録要求信号を管理装置２に対して送信する。
【００２１】
管理装置２は、制御装置８から登録要求信号を受けると、登録要求信号に含まれている登録用識別情報が、登録要求信号に含まれている認証用識別情報に関連づけて管理データベースに登録することができるものかどうかを確認する。
【００２２】
また、管理装置２は、制御装置８から登録要求信号を受けると、登録要求信号に含まれている認証用識別情報が、所定の形式であるかどうかを確認する（例えば、認識用識別情報が番号の場合には、所定の範囲内であるかどうかを確認する）。
【００２３】
即ち、管理装置２は、登録要求信号に含まれている登録用識別情報が、管理データベースに登録されていて、かつその登録用識別情報が登録有効期間内のものであり、かつその登録用識別情報がまだ認証用識別情報に関連づけて管理データベースに登録されておらず、かつ登録要求信号に含まれている認証用識別情報が所定の形式であれば、登録要求信号が登録条件を満たしていると判断し、認証用識別情報を登録用識別情報に関連づけて管理データベースに登録する。
【００２４】
また、管理装置２は、登録要求信号に含まれている登録用識別情報及び認証用識別情報が上述した登録条件を満たさない場合、即ち、登録用識別情報が管理データベースに登録されていない場合、登録用識別情報が登録有効期間外の場合、登録用識別情報が既に認証用識別情報に関連づけて登録されている（登録用識別情報が既登録の）場合、又は認証用識別情報が所定の形式でない場合には、制御装置８からの登録要求信号を無効にする。
【００２５】
さらに、管理装置２は、登録要求信号に対する応答として、登録要求信号が登録条件を満たしていれば利用者データを含む登録許可応答を、登録要求信号が登録条件を満たしていなければ登録却下応答を制御装置８に送信する。
【００２６】
制御装置８は、登録許可応答を受けると、認証用識別情報を対象利用者データとともに制御側データベースのレコードに登録し、利用者に対して登録されたことを通知する。
【００２７】
また、制御装置８は、登録却下応答を受けると、認証用識別情報及び対象利用者データを制御側データベースのレコードに登録せずに、利用者に対して登録されたことを通知する。
【００２８】
次に、動作について説明する。図４は、図１の入室管理システムにおける利用者登録の手順を示す説明図である。まず、利用者は、入室管理システムを利用したいということを、電話等を用いて管理者に連絡する（利用申請）（ステップＳ１）。
【００２９】
これに応じて、管理者は、管理装置２を用いて、管理側データベース記憶装置３に格納されている管理側データベースに、新たにレコードを作成し、そのレコードに利用者データとして、利用者の氏名、入室許可有効期間、及び有効拠点を登録する（ステップＳ２）。
【００３０】
これにより、管理装置２は、新たな登録用識別情報を作成し、新たに作成されたレコードに登録するとともに、新たな登録用識別情報に登録有効期間を設定する。この後に、管理装置２は、その登録用識別情報をバーコード（画像情報）に変換し、電子メールを用いて携帯端末１０に送信する（ステップＳ３）。
【００３１】
管理装置２からの電子メールを携帯端末１０で受信すると、利用者は、携帯端末１０にバーコードを表示させ、そのバーコードを登録用識別情報読取部１３に読み取らせる（ステップＳ４）。また、利用者は、ＩＣカード１１に予め登録されている認証用識別情報を認証用識別情報読取部１２に読み取らせる（ステップＳ５）。
【００３２】
すると、制御装置８は、認証用識別情報読取部１２によって読み取られた認証用識別情報と、登録用識別情報読取部１３によって読み取られた登録用識別情報とを含む登録要求信号を、管理装置２に対して送信する（ステップＳ６）。
【００３３】
これに応じて、管理装置２は、登録要求信号が登録条件を満たしているかどうかを確認する。即ち、管理装置２は、登録要求信号に含まれている登録用識別情報が、管理側データベースに登録されているかどうかを確認し、その登録用識別情報が登録有効期間内のものかどうかを確認し、その登録用識別情報が既に認証用識別情報に関連づけて登録されていないかどうかを確認し、さらに登録要求信号に含まれている認証用識別情報が、所定の形式であるかどうかを確認する（ステップＳ７）。
【００３４】
次に、管理装置２は、登録要求信号が登録条件を満たしていたかどうかの確認結果を登録要求信号応答として制御装置８に対して送信する（ステップＳ８）。
【００３５】
ここで、登録要求信号が登録条件を満たしていれば、管理装置２は、認証用識別情報を登録用識別情報に関連づけて管理データベースのレコードに登録し、登録要求信号応答として、利用者データを含む登録許可応答を制御装置８に対して送信する。
【００３６】
一方、登録要求信号が登録条件を満たしていなければ、管理装置２は、登録要求信号を無効にし、認証用識別情報を登録用識別情報に関連づけて管理データベースに登録せずに、登録要求信号応答として登録却下応答を制御装置８に対して送信する。
【００３７】
管理装置２から登録要求信号応答の入力を受けると、制御装置８は、その登録要求応答が登録許可応答であるか登録却下応答であるかを判定することで、認証用識別情報を制御側データベースに登録してよいかどうかを判定する（ステップＳ９）。その後に、管理装置２は、登録結果を例えば、ＬＥＤ表示等を用いて利用者に登録結果を通知する（ステップＳ１０）。
【００３８】
ここで、管理装置２から登録許可応答を受けた場合には、制御装置８は、認証用識別情報を対象利用者データとともに制御側データベースのレコードに登録し、利用者に対して登録されたことを通知する。
【００３９】
一方、管理装置２から登録却下応答を受けた場合には、制御装置８は、認証用識別情報及び対象利用者データを制御側データベースのレコードに登録せずに、利用者に対して登録が却下されたことを通知する。
【００４０】
このような入室管理システムでは、管理装置２が、管理装置２に通信回線を介して接続される制御装置８の登録用識別情報読取部１３によって読み取られた登録用識別情報が、管理データベースに登録されていることを確認した後に、認証用識別情報読取部１２によって読み取られた認証用識別情報を登録用識別情報に関連づけて管理側データベースに登録するので、管理者が利用を許可した利用者と利用現場で登録をしようとしている利用者とが照合された後に利用者登録が行われ、利用現場でセキュリティー性の高い利用者登録を行うことができる。
【００４１】
また、制御装置８は、制御装置８自身が有する制御側データベースに登録されている認証用識別情報に応じて、電気錠７の施・解錠を制御するので、制御装置８は、電気錠７の施・解錠を行うために管理装置２と通信する必要がない。
【００４２】
さらに、管理装置２は、登録用識別情報に登録有効期間を設定するので、管理者が意図しない不正な利用者登録を防ぐことができる。
【００４３】
さらにまた、管理装置２は、既に登録用識別情報に関連づけて制御側データベースに登録された既登録の登録用識別情報が、登録用識別情報読取部１３によって読み取られたときには、制御装置８からの登録要請信号を無効にするので、管理者が発行した登録用識別情報が１回の登録のみに有効となり、１つの登録用識別情報に対して複数の認証用識別情報が登録される多重登録を防ぐことができる。
【００４４】
また、登録用識別情報は、利用者が携帯する携帯端末１０に対して電子メールによって送信されるので、利用者が利用申請をしてから、制御装置８に登録されるまでの期間を短縮することができる。
【００４５】
なお、実施の形態１において、制御装置８は、制御装置８自身が有する制御側データベースに登録されている認証用識別情報に応じて、電気錠７の施・解錠を制御するように説明したが、制御装置は、管理装置が管理する管理側データベースの認証用識別情報に応じて電気錠の施・解錠を制御してもよい。即ち、制御装置は、制御側データベース記憶部を有していなくてもよい。
【００４６】
また、管理装置２は登録用識別情報をバーコード等の画像情報に変換したが、登録用識別情報は、管理者が入室管理システムの利用を許可した利用者を、制御装置が識別できればよく、登録用識別情報の情報形式は画像情報に限定されることなく、例えば、パスワード等でもよい。
【００４７】
さらに、登録用識別情報は、電子メールに添付され、利用者が携帯する携帯端末１０に送信されるように説明したが、登録用識別情報を利用者に送信する方法は電子メールに限定されることなく、例えば、管理者が登録用識別情報をバーコードとして紙に印刷し、その紙を利用者に郵送してもよい。
【００４８】
さらにまた、ＩＣカード１１は、利用者が携帯する携帯端末１０と別であるように説明したが、携帯端末が認証媒体の機能を有していれば、認証媒体は携帯端末と一緒でもよい。
【００４９】
また、入室管理システムは、退室の管理にも利用できることは言うまでもない。
【図面の簡単な説明】
【００５０】
【図１】この発明の実施の形態１による入室管理システムを示すブロック図である。
【図２】図１の管理側データベース記憶装置に格納されている管理データベースの構造を示す説明図である。
【図３】図１の制御側データベース記憶部に格納されている制御側データベースの構造を示す説明図である。
【図４】図１の入室管理システムにおける利用者登録の手順を示す説明図である。
【符号の説明】
【００５１】
２  管理装置、７  電気錠、８  制御装置、１０  携帯端末、１１  ＩＣカード（認証媒体）、１２  認証用識別情報読取部、１３  登録用識別情報読取部、１４  制御側データベース記憶部。
【図１】
2006132152.tif 000003
【図２】
2006132152.tif 000004
【図３】
2006132152.tif 000005
【図４】
2006132152.tif 000006